(57)【要約】      （修正有）【課題】釣り糸を繰り戻す過程でリールの回転に抵抗力を与え、釣り糸が自動糸巻き取り器に巻き戻される時に逆ねじれによる絡み合いを防止できる釣り糸巻き機を提供する。【解決手段】釣り糸巻き機は、ベース部１に回転軸２が設けられ、駆動手段３により回転軸を回転駆動させる。回転軸にはリール４、摩擦輪５及び単方向軸受５１が設けられ、制動片６により摩擦輪の回転に抵抗力を与える。抵抗力の強弱は締付手段７により自己調整可能とされる。【選択図】図２
0003198395.tif 000002
【実用新案登録請求の範囲】
【請求項１】
糸巻き取り器と合わせて釣り糸を順次繰り出し／繰り入れさせることで、逆ねじれによる絡み合いを防止する釣り糸巻き機であって、
ベース部と、
前記ベース部の上方に水平状態になるように枢着されている回転軸と、
前記回転軸に接続され、当該回転軸を回転駆動させる駆動手段と、
軸部と前記軸部の両側に位置された留め部とを有し、前記軸部で前記回転軸に同軸固着されているリールと、
前記回転軸に同軸設置されている摩擦輪と、
前記摩擦輪の側縁に近接され、当該摩擦輪の回転に抵抗力を与える制動片と、
前記制動片の側縁に設けられるとともに前記摩擦輪とは反対側に位置され、前記制動片をシフトさせるように押圧して前記摩擦輪を押し付けることで、前記摩擦輪の回転に抵抗力を与える締付手段と、を含む
ことを特徴とする釣り糸巻き機。
【請求項２】
前記ベース部に少なくとも前記摩擦輪を覆う固定部材が固定され、側方向にシフトすることが可能な板バネが、その上端が前記固定部材に固定されるとともに前記摩擦輪の側縁に懸垂し、前記制動片が前記板バネに設けられ、前記板バネの側方向シフトによって前記摩擦輪に当接されている
ことを特徴とする請求項１記載の釣り糸巻き機。
【請求項３】
前記締付手段は、前記制動片の側縁において前記固定部材にネジで螺設され、前記ネジの一端で前記板バネを押圧し、当該ネジを回転することで前記制動片が前記摩擦輪を押し付ける時に形成される抵抗力の大きさを調整することができる
ことを特徴とする請求項２記載の釣り糸巻き機。
【請求項４】
前記ベース部に糸巻き取り器を固定するための固定棒が設けられ、前記固定棒は、前記回転軸に垂直する方向で前記ベース部に水平に固設されている
ことを特徴とする請求項１から請求項３のいずれかに記載の釣り糸巻き機。
【請求項５】
前記駆動手段は、前記回転軸を自動的に回転駆動することが可能なモータである
ことを特徴とする請求項１から請求項４のいずれかに記載の釣り糸巻き機。
【請求項６】
前記駆動手段は、前記回転軸を手動で回転駆動することが可能な駆動クランクである
ことを特徴とする請求項１から請求項５のいずれかに記載の釣り糸巻き機。
【請求項７】
前記回転軸と同軸設置された摩擦輪の間に単方向軸受が設けられ、前記単方向軸受は、前記摩擦輪に対し前記回転軸を一方の方向に回転させるために用いられることができる
ことを特徴とする請求項１から請求項６のいずれかに記載の釣り糸巻き機。
【考案の詳細な説明】
【技術分野】
【０００１】
本考案は、糸巻き取り器と合わせて釣り糸を順次繰り出し／繰り入れさせることで、逆ねじれによる絡み合いを防止する機械である釣り糸巻き機に関する。
【背景技術】
【０００２】
魚釣りは、よく見られるレジャー活動であり、釣り活動を従事する際に、魚類の生存習慣に関わる知識を持つ外、適切な設備もあれば、半分の労力で倍の成果をあげる効果に達することができる。魚を釣る時、釣り竿の選択がとても重要である外、糸巻き取り器もとても大事な部品であり、従来よく見られている糸巻き取り器は、釣り客の選択に応じられるように糸を手動及び自動的に巻き付ける２種類のものがあった。
【０００３】
自動糸巻き取り器を例にし、自動糸巻き取り器をメンテナンスする時、元々自動糸巻き取り器に巻き付けられた釣り糸を先に引き抜いておかなければならず、通常、引き抜かれた釣り糸は、まず図６に示すリール９に巻き付けられ、自動糸巻き取り器のメンテナンスが完了した後、前記リール９に巻き付けられた釣り糸を再び自動糸巻き取り器に改めて巻き戻すようになっている(図示せず)。
【０００４】
しかしながら、前記リール９における釣り糸を前記自動糸巻き取り器に巻き戻す際に、釣り糸はまっすぐ引っ張られた状態で繰り戻さなければならず、すなわち、釣り糸を繰り戻す過程におけるリール９の回転には抵抗力を与えなければならない。自動糸巻き取り器の釣り糸がまっすぐ引っ張られずに直ちに回収されると、巻き付け作業がスムーズに作動できなくなり、繰り出し距離が的確でない問題になる。
【０００５】
従来では、リール９は自動糸巻き取り器に釣り糸を巻き戻す時、前記抵抗力を形成する装置を持っていないため、ユーザは通常、手でリール９を握って回転時の抵抗力を形成させるようにし、釣り糸が自動糸巻き取り器に巻き戻される時にまっすぐ引っ張られることができても、釣り糸を巻き戻す時の不便をもたらすことになる。
【考案の概要】
【考案が解決しようとする課題】
【０００６】
本考案は、かかる問題を解決するためになされたものであり、釣り糸を巻き取る際の利便性を向上させることができる釣り糸巻き機を提供することを一つの目的とする。
【０００７】
本考案は、ベース部に固定棒が設置され、糸巻き取り器に繰り出しまたは繰り入れの時の位置固定のために利用可能で、釣り糸を巻き戻す作業にも有利になることを次の目的とする。
【課題を解決するための手段】
【０００８】
本考案の釣り糸巻き機は、釣り竿に結合された糸巻き取り器から引き出された釣り糸を一旦格納するために用いられるものである。
前記目的を達成するため、本考案の釣り糸巻き機は、釣り竿に結合された糸巻き取り器から引き出された釣り糸を一旦格納するために用いられる釣り糸巻き機であって、
ベース部と、
前記ベース部の上方に水平状態になるように枢着されている回転軸と、
前記回転軸に接続され、当該回転軸を回転駆動させる駆動手段と、
軸部と前記軸部の両側に位置された留め部とを有し、前記軸部で前記回転軸に同軸固着されているリールと、
前記回転軸に同軸設置されている摩擦輪と、
前記摩擦輪の側縁に近接され、当該摩擦輪の回転に抵抗力を与える制動片と、
前記制動片の側縁に設けられるとともに前記摩擦輪とは反対側に位置され、前記制動片をシフトさせるように押圧して前記摩擦輪を押し付けることで、前記摩擦輪の回転に抵抗力を与える締付手段と、を含む
ことを特徴とす。
【０００９】
前記構成において、前記ベース部に前記摩擦輪を覆う固定部材が固定され、側方向にシフトすることが可能な板バネが、その上端が前記固定部材に固定されるとともに前記摩擦輪の側縁に懸垂し、前記制動片が前記板バネに設けられ、前記板バネの側方向シフトによって前記摩擦輪に当接されている。
【００１０】
前記構成において、前記締付手段は、前記制動片の側縁において前記固定部材にネジで螺設され、前記ネジの一端で前記板バネを押圧し、当該ネジを回転することで前記制動片が前記摩擦輪を押し付ける時に形成される抵抗力の大きさを調整することができる。
【００１１】
前記構成において、前記ベース部に糸巻き取り器を固定するための固定棒が設けられ、前記固定棒は、前記回転軸に垂直する方向で前記ベース部に水平に固設されている。
前記構成において、前記駆動手段は、前記回転軸を自動的に回転駆動することが可能なモータである。
前記構成において、前記駆動手段は、前記回転軸を手動で回転駆動することが可能な駆動クランクである。
前記構成において、前記回転軸と同軸設置された摩擦輪の間に単方向軸受が設けられ、前記単方向軸受は、前記摩擦輪に対し前記回転軸を一方の方向に回転させるために用いられるとともに、巻き取り停止時に引っ張り力による巻き戻しを防止することができる。
【００１２】
本考案の上述及びその他の目的と長所は、次に選択された実施例の詳細な説明及び添付図面から容易に深く理解しうる。
【００１３】
もちろん、本考案は、ある部品または部品のレイアウト上に多少違う所があっても許容するが、選択した実施例は、本明細書において詳しく説明し、添付図面にその構造を示す。
【図面の簡単な説明】
【００１４】
【図１】本考案に係る第１実施例の外観斜視図である。
【図２】図１の透視状態となる固定部材の外観斜視図である。
【図３】本考案に係る第１実施例の摩擦輪側の構造の側面図である。
【図４】本考案に係る第１実施例のリールにおいて回転軸が抵抗力がある状態で回転して釣り糸を糸巻き取り器に巻き戻す様子を示す模式図である。
【図５】本考案に係る第２実施例の外観斜視図である。
【図６】釣り糸を巻き取る際に用いられる従来のリールを示す模式図である。
【考案を実施するための形態】
【００１５】
図１〜図５を参照し、本考案の好ましい実施例の構造を示すが、説明のためのみに用いられるものであり、特許請求ではこのような構造に限定されるものではない。
【００１６】
本実施例は、釣り糸巻き機を提供し、図１〜図２に示すように、ベース部１と、回転軸２と、駆動手段３と、リール４と、摩擦輪５と、制動片６と、締付手段７とを含み、釣り竿に結合された糸巻き取り器８から引き出された釣り糸８１を一旦格納するために用いられる。
【００１７】
図１〜図２に示すように、回転軸２がベース部１の上方に水平状態になるように枢着される。駆動手段３が回転軸２に接続され、当該駆動手段３で回転軸２を回転駆動させるようになっており、本実施例の駆動手段３は、回転軸２を自動的に回転駆動することが可能なモータである。リール４が軸部４１と軸部４１の両側に位置された留め部４２とを有し、軸部４１で回転軸２に同軸固着される。摩擦輪５が回転軸２に同軸設置される。制動片６が摩擦輪５の側縁に設けられ、制動片６で当該摩擦輪５の回転に抵抗力を与える。締付手段７が制動片６の側縁に設けられるとともに摩擦輪５とは反対側に位置され、制動片６をシフトさせるように押圧して摩擦輪５を押し付けることで、摩擦輪５の回転に抵抗力を与えるようになっている。
【００１８】
図１〜図２に示すように、本実施例では、ベース部１に糸巻き取り器８を固定するための固定棒１１が設けられ、固定棒１１は、回転軸２に垂直する方向でベース部１に水平に固設される。
【００１９】
図２〜図３に示すように、本実施例のベース部１に摩擦輪５を覆う固定部材１２が固定され、側方向にシフトすることが可能な板バネ１３が、その上端が固定部材１２に固定されるとともに摩擦輪５の側縁に懸垂し、制動片６が板バネ１３に設けられ、制動片６が板バネ１３の側方向シフトによって摩擦輪５に当接し抵抗力を与える。本実施例の固定部材１２は、摩擦輪５を覆うケーシングである。
【００２０】
図２〜図３に示すように、締付手段７は、制動片６の側縁において固定部材１２にネジ７１で螺設され、ネジ７１の一端で板バネ１３を押圧し、当該ネジ７１を回転することで制動片６が摩擦輪５を押し付ける時に形成される抵抗力の大きさを調整することができる。
【００２１】
本実施例では、回転軸２と同軸設置された摩擦輪５の間に単方向軸受５１が設けられ、単方向軸受５１は、摩擦輪５に対し回転軸２を一方の方向のみに回転させるために用いられる一方、他方の方向に摩擦輪５と同期に回転するようになっている。単方向軸受５１が摩擦輪５に対し回転軸２を一方の方向に回転させる方向は、本実施例においてリール４が釣り糸を巻き取る方向と同方向であり、制動片６が摩擦輪５を押し付けて摩擦輪５に対し回転抵抗力を生じても、回転軸２には単方向軸受５１が設けられるため、この時の回転軸２は当該摩擦輪５に規制されず摩擦輪５に対し回転自在であるので、回転軸２にとって回転時に抵抗力を殆ど生じない。
【００２２】
本実施例の釣り糸巻き機で糸巻き取り器８から引き出された釣り糸を巻き取る時に、釣り糸をリール４の軸部４１に連結すれば、モータである駆動手段３により回転軸２を回転駆動させてリール４を自動的に回転駆動し、元々糸巻き取り器８が所有する釣り糸を引き出すことができ、かつ、リール４における２つの留め部４２の間の軸部４１に巻き付けることができる。釣り糸が糸巻き取り器８から完全に引き出されると、糸巻き取り器８のメンテナンス作業を行えるようになる。
【００２３】
糸巻き取り器８のメンテナンス作業を終了すると、リール４上の釣り糸を糸巻き取り器８に巻き戻してよい。この時、釣り糸を糸巻き取り器８に連結し、図３に示すように、ネジ７１の一端が制動片６を押圧して摩擦輪５に当接するまで締付手段７のネジ７１を回動していき、この際に、ネジ７１が制動片６を押圧する力を調節すれば、制動片６の摩擦輪５に押し付ける抵抗力の大きさを調整でき、抵抗力の大きさを調整終了すると、図４に示す糸巻き取り器８のように釣り糸８１を巻き戻せばよいが、リール４に伴って回転する回転軸２の回転方向が単方向軸受５１に規制されて摩擦輪５と同期に回転するため、回転軸２が摩擦輪５の抵抗の下で回転し、この時、釣り糸８１がまっすぐ引っ張られた状態で自動的に巻き戻される。
【００２４】
上記説明から本考案の長所を容易に発見できる。
（１）釣り糸８１を巻き取る際に、駆動手段３によって回転軸２を回転駆動させれば、糸巻き取り器８の釣り糸８１をリール４に巻き取ることができ、巻き取り器８にリール４上の釣り糸８１を巻き戻すとき、制動片６によって摩擦輪５に対し回転抵抗力を与えることで、釣り糸８１がまっすぐ引っ張られ、釣り糸８１を糸巻き取り器８にスムーズに巻き戻すことができることによって、釣り糸８１を巻き戻す便宜性を得られる。
【００２５】
（２）固定棒１１の設置によって、糸巻き取り器８を固定棒１１に固定し、すなわち、ベース１においてリール４近傍の相対位置に糸巻き取り器８が位置決めされ、この時、糸巻き取り器８の釣り糸８１を引き出してリール４に巻き取っても、糸巻き取り器８に巻き付けられた釣り糸８１を糸巻き取り器８に巻き戻しても、いずれも釣り糸８１を巻き戻す便宜性を得られる。
【００２６】
もちろん、本考案は、多くの例が存在し、これらは細部だけで変化がある。図５を参照し、本考案に係る第２実施例であり、第１実施例とは本実施例の駆動手段３Ａが回転軸２を手動で回転駆動する駆動クランクである点で異なっている。そのため、回転軸２は、第１実施例のようにモータである駆動手段３によって回転駆動される外、本実施例のように駆動クランクである駆動手段３Ａにより回転駆動されても、第１実施例と同じ効果を得られる。
【００２７】
以上のように、上記実施例の掲示は本考案を説明するために用いられ、本考案を限定するものではなく、いずれの数値上の変更または部品の等価な変形が、本考案の主張範囲内に納入されるべきである。
【００２８】
上記詳細な説明から、当該技術を熟知する当業者は、本考案が前記目的を確かに達成できることが理解できるはずであり、法の要件を満していることが事実であるので、法に従って出願を提起する。
【符号の説明】
【００２９】
１    ベース部
２    回転軸
３、３Ａ  駆動手段
４、９    リール
５    摩擦輪
６    制動片
７    締付手段
８    糸巻き取り器
１１  固定棒
１２  固定部材
１３  板バネ
４１  軸部
４２  留め部
５１  単方向軸受
７１  ネジ
８１  釣り糸
【図１】
0003198395.tif 000003
【図２】
0003198395.tif 000004
【図３】
0003198395.tif 000005
【図４】
0003198395.tif 000006
【図５】
0003198395.tif 000007
【図６】
0003198395.tif 000008